(57)【特許請求の範囲】
【請求項１】
複数の行及び複数の列によって発光素子がマトリクス状に配置された表示パネルを駆動するマトリクス型表示装置において、
前記発光素子それぞれで表示する画像データに応じた駆動波形によって、前記発光素子それぞれを駆動する駆動回路と、
前記画像データが所定の基準値より小さいときには、前記発光素子それぞれの発光特性が略逆ガンマ特性となるよう、前記駆動波形に勾配を形成する勾配形成手段と、
前記画像データが前記所定の基準値以上のときには、前記発光素子に略一定の電圧もしくは電流を供給する供給手段とを備えて構成したことを特徴とするマトリクス型表示装置。
【請求項２】
前記供給手段は、前記画像データが前記所定の基準値以上のとき、その画像データに応じてパルス幅が変調されたパルスを前記発光素子に供給するパルス幅変調回路を有するものであることを特徴とする請求項１記載のマトリクス型表示装置。
【請求項３】
前記マトリクス型表示装置は、フィールドエミッション表示装置もしくはエレクトロルミネセンス表示装置であることを特徴とする請求項１または２に記載のマトリクス型表示装置。
【発明の詳細な説明】
【０００１】
【発明の属する技術分野】
本発明は、冷陰極電子放出素子等の電子放出源を用いた表示装置（いわゆるフィールドエミッション表示装置）やエレクトロルミネセンス（以下、ＥＬと略記する）表示装置等のマトリクス型表示装置に関する。
【０００２】
【従来の技術】
マトリクス型表示装置としては、冷陰極電子放出素子を用いたフィールドエミッション表示装置やＥＬ表示装置が知られている。図８はこの種の従来のマトリクス型表示装置を示すブロック図である。図８において、表示パネル１０は例えば冷陰極電子放出素子を用いた表示パネルであり、一例として図９に示すように、走査電極Ｓ１〜Ｓｍに接続された複数の行配線と、データ電極Ｄ１〜Ｄｎに接続された複数の列配線とによって、画素を構成するセル１０ｓがマトリクス状に配置されている。なお、セル１０ｓは、電子放出源である電子放出素子と、この電子放出素子からの電子照射を受ける蛍光体とで構成される。
【０００３】
端子１に入力された映像信号は、シフトレジスタ２に書き込まれる。シフトレジスタ２において１行分のデータが書き込まれた後、ラッチ回路３によってラッチされる。ラッチ回路３より出力されたデータは、パルス幅変調（ＰＷＭ）回路４に入力される。ＰＷＭ回路４は、データの大小に応じたパルスでスイッチＳｄ１〜Ｓｄｎを制御する。スイッチＳｄ１〜Ｓｄｎは、ＰＷＭ回路４より入力されるパルスがハイのときオンとなり、表示パネル１０のデータ電極Ｄ１〜Ｄｎに定電圧＋Ｖｄを供給する。
【０００４】
一方、端子５に入力された同期信号は、タイミング制御回路６に入力される。タイミング制御回路６はシフトレジスタ２にシフトクロックを供給し、ラッチ回路３にラッチクロックを供給する。タイミング制御回路６は、また、シフトレジスタ７に１ライン幅のスキャンパルスを供給する。シフトレジスタ７はそのパルスでスイッチＳｓ１〜Ｓｓｍを制御する。スイッチは、シフトレジスタ７より入力されるスキャンパルスがハイのときオンとなり、表示パネル１０の走査電極Ｓ１〜Ｓｍに定電圧−Ｖｓを供給する。
【０００５】
さらに、図８に示すマトリクス型表示装置を駆動する場合の動作について詳細に説明する。上記のように、表示パネル１０の走査電極Ｓ１〜Ｓｍには、順次、シフトレジスタ７によってスキャンパルスが印加される。また、表示パネル１０のデータ電極Ｄ１〜Ｄｎには、ＰＷＭ回路４によって、選択されたラインに対応したデータに応じてパルス幅（ＰＷＭ）変調されたパルスが印加される。即ち、ｉ行ｊ列のデータに対しては、走査電極Ｓｉが選択されている期間にデータ電極Ｄｊに電圧を印加する。発光の強弱（階調）は、データ電極Ｄ１〜Ｄｎに印加するパルスの印加時間（パルス幅）で表現される。
【０００６】
図１０は、一例としてｊ列を表示する際の動作を示す波形図であり、（Ａ）〜（Ｃ）には走査電極に印加するスキャンパルスを、（Ｄ）にはデータ電極に印加するパルスを、（Ｅ）〜（Ｇ）には素子（セル１０ｓ）に印加される電圧を示している。ここでは、映像信号のビット数を８ビットとし、完全な黒は０、完全な白は２５５として表現されており、ｉ行ｊ列は黒（０）、ｉ＋１行ｊ列はグレー（１２８）、ｉ＋２行ｊ列は白（２５５）である場合について示している。１水平走査期間は２５５単位時間で構成されている。単位時間はＰＷＭ回路４のクロック周期であり、単位時間をＴで表すこととする。階調表現は、データ電極Ｄ１〜Ｄｎに印加するパルスのパルス幅を、０Ｔ〜２５５Ｔで変化させることによって行われる。実際には、１水平走査期間を２５５Ｔ以上の単位時間とすればよい。
【０００７】
図１０に示すように、ｉ行の水平走査期間において、ｉ行の走査電極Ｓｉには電圧−Ｖｓがかかっており、その他の走査電極には電圧がかかっていない。このとき、ｉ行ｊ列の信号は０であるので、ｊ列のデータ電極Ｄｊは常に０電位である。ｉ行の水平走査期間が終了すると、ｉ＋１行の水平走査期間に移る。
【０００８】
ｉ＋１行の水平走査期間においては、ｉ＋１行の走査電極Ｓ（ｉ＋１）には電圧−Ｖｓがかかっており、その他の走査電極には電圧がかかっていない。このとき、ｉ＋１行ｊ列の信号が１２８であるため、ｊ列のデータ電極Ｄｊには水平走査期間（２５５Ｔ）の約半分の期間（１２８Ｔ）だけ電圧＋Ｖｄがかかり、その後の約半分の期間は０電位となる。ｉ＋１行の水平走査期間が終了すると、ｉ＋２行の水平走査期間に移る。
【０００９】
ｉ＋２行の水平走査期間においては、ｉ＋２行の走査電極Ｓ（ｉ＋２）は電圧−Ｖｓがかかっており、その他の走査電極には電圧がかかっていない。このとき、ｉ＋２行ｊ列の信号が２５５であるため、ｊ列のデータ電極Ｄｊには水平走査期間の全期間（２５５Ｔ）において電圧＋Ｖｄがかかっている。
【００１０】
ところで、冷陰極電子放出素子を用いた表示パネル１０の場合は、電子放出素子が電子放出するためのしきい値を有している。図１１において、実線は、冷陰極電子放出素子への印加電圧ｖaに対する放出電流ｉeの特性を示している。電圧Ｖｔｈは放出電流ｉeが生じるしきい値である。走査期間において走査電極Ｓ１〜Ｓｍに印加される電圧（絶対値）Ｖｓ及びデータ電極Ｄ１〜Ｄｎに印加される電圧Ｖｄは共に電圧Ｖｔｈ以下に設定され、電圧（Ｖｄ＋Ｖｓ）は電圧Ｖｔｈより大きく設定する。
【００１１】
冷陰極電子放出素子（セル１０ｓ）にかかる電圧とは、データ電極Ｄ１〜Ｄｎの電位と走査電極Ｓ１〜Ｓｍの電位の差であるから、この場合、データ電極Ｄ１〜Ｄｎと走査電極Ｓ１〜Ｓｍの内の一方のみの電圧（ＶｄまたはＶｓ）の印加では、冷陰極電子放出素子は電子を放出せず、データ電極Ｄ１〜Ｄｎと走査電極Ｓ１〜Ｓｍの双方に電圧が印加された場合のみ、冷陰極電子放出素子は電子を放出し、そのセル１０ｓは発光する。
【００１２】
図１０の例では、ｉ行ｊ列のセル１０ｓにかかる電圧は常に電圧Ｖｔｈ以下となっているため、セル１０ｓは発光しない。ｉ＋１行ｊ列のセル１０ｓにかかる電圧は、斜線を付した１２８Ｔの期間だけ電圧Ｖｔｈを超えているので、セル１０ｓは１２８Ｔの期間だけ発光する。ｉ＋２行ｊ列のセル１０ｓにかかる電圧は斜線を付した２５５Ｔの期間で電圧Ｖｔｈを超えているので、セル１０ｓは２５５Ｔの期間で発光する。
【００１３】
ここでは、ｉ行からｉ＋２行目までの表示過程についてのみ説明したが、実際には、表示パネル１０の走査電極Ｓ１〜Ｓｍには、１行からＭ行まで順次、スキャンパルスが印加され、この走査タイミングに合わせて、データ電極Ｄ１〜ＤｎにＰＷＭ変調されたパルスが印加される。
なお、有効画素が４８０行×６４０列の表示の場合には、走査電極が４８０本、データ電極が６４０本存在し、ＲＧＢストライプ構造のカラー表示の場合には１９２０本のデータ電極が存在する。
【００１４】
【発明が解決しようとする課題】
このようなＰＷＭ変調による階調表現によれば、画像データに対してほぼリニアな発光特性を示すことができる。しかしながら、実際の映像信号では、元々の画像（原画像）の輝度に対する画像データの振幅の関係はリニアではなく、ガンマ特性を有している。従って、リニアな特性を有しているマトリクス型表示装置においては、映像信号に対して逆ガンマ補正を施さなければならない。入力された映像信号に対して予め逆ガンマ補正を施すことも考えられるが、構成が複雑化してしまう。
【００１５】
本出願人は、先に、特願平１０−３１５７４２号によって、素子に印加する電圧波形をランプ状としたり、また、特願平１０−３４９６６２号によって、素子に印加する電圧波形をステップ状とすることによって、逆ガンマ補正を施すようにしたマトリクス型表示装置を提案した。しかしながら、素子に印加する電圧波形をランプ状やステップ状とすると、ＰＷＭ回路４より出力されるパルスのパルス幅が最大になったときの発光強度が小さくなってしまうという問題点がある。
【００１６】
本発明はこのような問題点に鑑みなされたものであり、駆動方法を改良することによって逆ガンマ補正を施すことができ、かつ、発光強度を大きくすることができるマトリクス型表示装置を提供することを目的とする。
【００１７】
【課題を解決するための手段】
本発明は、上述した従来の技術の課題を解決するため、複数の行及び複数の列によって発光素子（１０ｓ）がマトリクス状に配置された表示パネル（１０）を駆動するマトリクス型表示装置において、前記発光素子それぞれで表示する画像データに応じた駆動波形によって、前記発光素子それぞれを駆動する駆動回路（２〜４，６，７，Ｓｄ１〜Ｓｄｎ，Ｓｘｄ１〜Ｓｘｄｎ，Ｓｓ１〜Ｓｓｍ）と、前記画像データが所定の基準値より小さいときには、前記発光素子それぞれの発光特性が略逆ガンマ特性となるよう、前記駆動波形に勾配を形成する勾配形成手段（８）と、前記画像データが前記所定の基準値以上のときには、前記発光素子に略一定の電圧もしくは電流を供給する供給手段（４０，４１，Ｓｘｄ１〜Ｓｘｄｎ）とを備えて構成したことを特徴とするマトリクス型表示装置を提供するものである。
【００１８】
【発明の実施の形態】
以下、本発明のマトリクス型表示装置について、添付図面を参照して説明する。図１は本発明のマトリクス型表示装置の第１実施例を示すブロック図、図２及び図３は本発明のマトリクス型表示装置の第１実施例の動作を説明するための波形図、図４は本発明のマトリクス型表示装置の第１実施例を説明するための特性図、図５は本発明のマトリクス型表示装置の第２実施例を示すブロック図、図６は本発明のマトリクス型表示装置の第２実施例の動作を説明するための波形図、図７は本発明のマトリクス型表示装置の第２実施例を説明するための特性図である。なお、図１，図５において、図８と同一部分には同一符号が付してある。
【００１９】
＜第１実施例＞
図１において、表示パネル１０は例えば冷陰極電子放出素子を用いた表示パネルであり、その具体的構成は図９を用いて説明した通りである。端子１に入力された映像信号は、シフトレジスタ２に書き込まれる。シフトレジスタ２において１行分のデータが書き込まれた後、ラッチ回路３によってラッチされる。ラッチ回路３より出力されたデータは、ＰＷＭ回路４及び比較回路４０に入力される。ＰＷＭ４回路は、データの大小に応じたパルスでスイッチＳｄ１〜Ｓｄｎを制御する。スイッチＳｄ１〜Ｓｄｎは、ＰＷＭ回路４より入力されるパルスがハイのときオンとなる。スイッチＳｄ１〜Ｓｄｎには、波形発生回路８より後に説明するようなランプ状電圧が入力される。
【００２０】
スイッチＳｄ１〜Ｓｄｎには、それぞれ、スイッチＳｘｄ１〜Ｓｘｄｎが縦続接続されている。スイッチＳｘｄ１〜Ｓｘｄｎの一方の端子には、スイッチＳｄ１〜Ｓｄｎの出力が入力され、他方の端子には、定電圧＋Ｖｄが入力されている。スイッチＳｘｄ１〜Ｓｘｄｎは、比較回路４０の出力に応じて切り換え制御される。ＰＷＭ回路４より入力されるパルスがハイのときスイッチＳｄ１〜Ｓｄｎがオンとなり、スイッチＳｘｄ１〜Ｓｘｄｎが図中左側の端子に接続しているとき、表示パネル１０のデータ電極Ｄ１〜Ｄｎにランプ状電圧を供給する。スイッチＳｘｄ１〜Ｓｘｄｎが図中右側の端子に接続しているときには、表示パネル１０のデータ電極Ｄ１〜Ｄｎに定電圧＋Ｖｄを供給する。
【００２１】
比較回路４０は、入力されたデータと所定の基準値とを比較し、入力されたデータがその基準値より小さいときは、スイッチＳｄ１〜Ｓｄｎの出力を選択するようスイッチＳｘｄ１〜Ｓｘｄｎを制御し、入力されたデータがその基準値以上のときは定電圧＋Ｖｄを選択するようスイッチＳｘｄ１〜Ｓｘｄｎを制御する。一例として、基準値を２５５とすると、入力されたデータが０〜２５４のとき、スイッチＳｘｄ１〜ＳｘｄｎはスイッチＳｄ１〜Ｓｄｎの出力を選択し、入力されたデータが２５５のとき、スイッチＳｘｄ１〜Ｓｘｄｎは定電圧＋Ｖｄを選択する。基準値は２５５に限定されない。
【００２２】
端子５に入力された同期信号は、タイミング制御回路６に入力される。タイミング制御回路６はシフトレジスタ２にシフトクロックを供給し、ラッチ回路３にラッチクロックを供給する。タイミング制御回路６は、また、シフトレジスタ７に１ライン幅のパルスを供給する。シフトレジスタ７はそのパルスでスイッチＳｓ１〜Ｓｓｍを制御する。スイッチＳｓ１〜Ｓｓｍは、シフトレジスタ７より入力されるスキャンパルスがハイのときオンとなり、表示パネル１０の走査電極Ｓ１〜Ｓｍに定電圧−Ｖｓを供給する。タイミング制御回路６は、さらに、波形発生回路８がランプ状電圧を発生するタイミングを制御する。
【００２３】
ここで、図１に示す駆動回路の動作を図２を用いて詳細に説明する。図２においても、一例としてｊ列を表示する際の動作を示しており、（Ａ）〜（Ｃ）には走査電極に印加するスキャンパルスを、（Ｄ）には波形発生回路８が発生するランプ状電圧を、（Ｅ）にはデータ電極に印加するパルスを、（Ｆ）〜（Ｈ）には素子（セル１０ｓ）に印加される電圧を示している。波形発生回路８が発生するランプ状電圧は、図２（Ｄ）に示すように、１水平走査期間周期の所定の勾配を有する波形である。ランプ状電圧の最低電圧（傾斜の開始電圧）は＋Ｖｄ１であり、最高電圧（傾斜の終了電圧）は＋Ｖｄ２である。
【００２４】
ここでは、映像信号のビット数を８ビットとし、完全な黒は０、完全な白は２５５として表現されており、ｉ行ｊ列は黒（０）、ｉ＋１行ｊ列はグレー（１２８）、ｉ＋２行ｊ列は白（２５５）である場合について示している。第１実施例では、基準値が２５５であり、１水平走査期間は２５４単位で構成されている。単位時間はクロック周期であり、単位時間をＴで表すこととする。データ０〜２５４までの階調表現は、データ電極Ｄ１〜Ｄｎに印加するパルスのパルス幅を、０Ｔ〜２５４Ｔで変化させることによって行われる。なお、パルス幅の単位時間Ｔの変更は、クロック周波数を変更することによって実現できる。
【００２５】
図２に示すように、ｉ行の水平走査期間において、ｉ行の走査電極Ｓｉには電圧−Ｖｓがかかっており、その他の走査電極には電圧がかかっていない。このとき、ｉ行ｊ列の信号は０であるので、ｊ列のデータ電極Ｄｊは常に０電位である。ｉ行の水平走査期間が終了すると、ｉ＋１行の水平走査期間に移る。
【００２６】
ｉ＋１行の水平走査期間においては、ｉ＋１行の走査電極Ｓ（ｉ＋１）には電圧−Ｖｓがかかっており、その他の走査電極には電圧がかかっていない。このとき、ｉ＋１行ｊ列の信号が１２８であるため、ｊ列のデータ電極Ｄｊには水平走査期間（２５４Ｔ）の約半分の期間（１２８Ｔ）だけ電圧がかかり、その後の約半分の期間は０電位となる。データ電極Ｄｊに印加される電圧は、図２（Ｄ）に示すランプ状電圧を約半分だけ切り取ったランプ状波形となる。ｉ＋１行の水平走査期間が終了すると、ｉ＋２行の水平走査期間に移る。
【００２７】
ｉ＋２行の水平走査期間においては、ｉ＋２行の走査電極Ｓ（ｉ＋２）には電圧−Ｖｓがかかっており、その他の走査電極には電圧がかかっていない。このとき、ｉ＋２行ｊ列の信号が２５５であるため、比較回路４０の制御によって、スイッチＳｘｄ１〜Ｓｘｄｎは定電圧＋Ｖｄを選択する。従って、ｊ列のデータ電極Ｄｊには水平走査期間の全期間（２５４Ｔ）において定電圧＋Ｖｄがかかる。なお、定電圧＋Ｖｄは、ランプ状電圧の最低電圧＋Ｖｄ１より大きい任意の電圧である。データ電極Ｄｊに印加される電圧は、ランプ状波形ではなく、矩形波形となる。
【００２８】
走査期間において走査電極Ｓ１〜Ｓｍに印加される電圧（絶対値）Ｖｓ及びデータ電極Ｄ１〜Ｄｎに印加される電圧Ｖｄ１〜Ｖｄ２，Ｖｄは共に、図１１で説明した表示パネル１０の電子放出素子が電子放出するためのしきい値である電圧Ｖｔｈ以下に設定され、電圧Ｖｄ１〜Ｖｄ２，Ｖｄと電圧Ｖｓとの合計は電圧Ｖｔｈより大きく設定する。従って、データ電極Ｄ１〜Ｄｎと走査電極Ｓ１〜Ｓｍの双方に電圧が印加された場合のみ、冷陰極電子放出素子は電子を放出し、そのセル１０ｓは発光する。
【００２９】
図２の例では、ｉ行ｊ列の素子（セル１０ｓ）にかかる電圧は常に電圧Ｖｔｈ以下となっているため、セル１０ｓは発光しない。ｉ＋１行ｊ列のセル１０ｓにかかる電圧は、斜線を付した１２８Ｔの期間だけ電圧Ｖｔｈを超えているので、セル１０ｓは１２８Ｔの期間だけ発光する。ｉ＋２行ｊ列のセル１０ｓにかかる電圧は斜線を付した１水平走査期間の全期間である２５４Ｔの期間で電圧Ｖｔｈを超えているので、セル１０ｓは２５４Ｔの期間で発光する。本実施例においては、データが２５４以下では、ランプ状電圧が印加され、データ２５５では、１水平走査期間一定の矩形状電圧が印加されることが分かる。
【００３０】
ここでは、ｉ行からｉ＋２行目までの表示過程についてのみ説明したが、実際には、表示パネル１０の走査電極Ｓ１〜Ｓｍには、１行からＭ行まで順次、スキャンパルスが印加され、この走査タイミングに合わせて、データ電極Ｄ１〜ＤｎにＰＷＭ変調されたパルスが印加される。このとき、データ電極Ｄ１〜Ｄｎに印加される電圧は、従来のような平坦な波形とは異なり、データが２５４までの範囲では、波形発生回路８が発生するランプ状電圧をＰＷＭ回路４が発生するパルスのパルス幅に応じて切り取った波形となる。データが２５５では、データ電極Ｄ１〜Ｄｎに印加される電圧は、平坦な矩形状の波形となる。
【００３１】
以上のような波形で駆動したときの発光特性を具体的に説明する。なお、計算を簡略化するため、図１１で説明した電子放出素子の電圧対放出電流特性を実線で示す実際の特性ではなく破線で示す直線にて近似することとする。この直線を数式で表現すると、次の（１）式となる。なお、ｉeは放出電流、ｖaは印加電圧、ｇは直線の傾き（コンダクタンス）である。
【００３２】
【数１】
0003931470.tif 000002
【００３３】
また、表示パネル１０の各素子に印加される電圧ｖaは、一例として図３（Ａ）のように、時間ｔ＝０の電圧がｖ1、ｔ＝ｔwの電圧がｖ2になるよう直線的に昇圧すると考えると、時間０からｔpに至るまでのパルス幅において各素子から放出する電子量ｑは次の（２）式により計算することができる。なお、電圧ｖ1は電圧（Ｖｄ１＋Ｖｓ）であり、電圧ｖ2は電圧（Ｖｄ２＋Ｖｓ）である。
【００３４】
【数２】
0003931470.tif 000003
【００３５】
データが０〜２５４の範囲では、表示パネル１０の各素子に印加される電圧ｖaは、図３（Ａ）に示すようにランプ状波形であり、パルス幅ｔpに対する放出電子量ｑは２次関数を示す。一方、データが２５５のとき、表示パネル１０の各素子に印加される電圧ｖaは、図３（Ｂ）に示すように一定電圧ｖ3である。なお、電圧ｖ3は、電圧（Ｖｄ＋Ｖｓ）である。電圧ｖ3は、電圧ｖ2と同一でも同一でなくてもよい。このときの電子量ｑは、データが２５４のときの電子量ｑよりも格段に大きくすることができる。
【００３６】
表示パネル１０の発光は、電子放出素子からの電子の照射を受けて生じるので、第１実施例によれば、画像データに対する発光特性は、図４に実線で示すように、データが０〜２５４の範囲では２次曲線、データが２５５ではかなり大きな一定値となる。従って、特願平１０−３１５７４２号や特願平１０−３４９６６２号で示した先願のものよりも発光強度を大きくすることができる。しかも、データが０〜２５４の範囲におけるパルス幅ｔpに対する放出電子量ｑが２次関数を示ことにより、上記の先願と同様、逆ガンマ補正を施すこともできる。結果として、マトリクス型表示装置において、原画像に対してほぼリニアな発光特性で表示することが可能となる。なお、図４中、破線は、従来例による発光特性である。
【００３７】
＜第２実施例＞
図５に示す第２実施例は、比較回路４０の代わりにＰＷＭ回路４１を設け、定電圧＋Ｖｄに対しても、画像データに応じてパルス幅を制御するようにしたものである。なお、図５において、図１と同一部分には同一符号を付し、その説明を適宜省略する。
【００３８】
ラッチ回路３より出力されたデータは、ＰＷＭ回路４及び４１に入力される。第２実施例では、基準値を一例として２５２とし、ラッチ回路３より出力されたデータが基準値２５２より小さければ（２５１までであれば）、スイッチＳｘｄ１〜Ｓｘｄｎは、スイッチＳｄ１〜Ｓｄｎの出力を選択する。そして、第１実施例と同様に動作する。ラッチ回路３より出力されたデータが基準値２５２以上であれば、ＰＷＭ回路４１は、データが２５２〜２５５まで段階的にパルス幅が広くなるパルスをスイッチＳｘｄ１〜Ｓｘｄｎに供給する。スイッチＳｘｄ１〜Ｓｘｄｎは、ＰＷＭ回路４１よりパルスが供給されている間、図中右側の端子に接続して表示パネル１０のデータ電極Ｄ１〜Ｄｎに定電圧＋Ｖｄを供給する。
【００３９】
第２実施例では、基準値が２５２であるので、ラッチ回路３より出力されたデータが２５１までの階調表現は、データ電極Ｄ１〜Ｄｎに印加するパルスのパルス幅を、０Ｔ〜２５１Ｔで変化させることによって行われる。
【００４０】
データが０〜２５１の範囲では、表示パネル１０の各素子に印加される電圧ｖaは、図６（Ａ）に示すようにランプ状波形であり、パルス幅ｔpに対する放出電子量ｑは２次関数を示す。例えばデータが２５２のとき、表示パネル１０の各素子に印加される電圧ｖaは、図６（Ｂ）に示すように、０〜ｔaまではランプ状波形、ｔa以上で一定電圧ｖ3となる。そして、データが２５３，２５４では、一定電圧ｖ3の期間が図６（Ｂ）の左方向に広がっていく。データが２５５では、図６（Ｃ）に示すように全期間一定電圧ｖ3となる。
【００４１】
第２実施例でも、放出される電子量ｑ（即ち、発光強度）を先願に記載のものより格段に大きくすることができる。また、ランプ状波形から一定電圧ｖ3への移行を段階的にして階調特性を滑らかにすることができる。ところで、ランプ状波形から一定電圧ｖ3へと移行させる基準値は２５２に限定されない。基準値をより小さい値とすると、ＰＷＭ回路４が発生するパルスのパルス幅の単位時間Ｔが大きくなる。単位時間Ｔを大きくすると、ＰＷＭ回路４に供給するクロックの周波数を低くすることができる。
【００４２】
以上説明した第１，第２実施例では、電子放出素子に印加する電圧波形をランプ状波形としたが、ステップ状波形とすることによって、逆ガンマ補正を施すようにしてもよい。発光特性が略逆ガンマ特性となるよう、駆動波形に勾配を形成すればよい。なお、ランプ状波形のような時間と共に変化する波形は、直線的に増加する波形でなくてもよく、曲線であってもよい。本発明は、画像データに対応したパルス幅による電子放出素子からの放出電流が、画像データがある範囲では、時間と共に変化させ、その範囲を超えた範囲では、一定電圧とすることにより、画像データに対する発光特性を略逆ガンマ特性とすることができ、さらに、発光強度を大きくすることができる。
【００４３】
さらに、表示パネル１０の走査電極Ｓ１〜Ｓｍとデータ電極Ｄ１〜Ｄｎの双方にランプ状電圧やステップ状電圧を供給してもよい。また、走査電極Ｓ１〜Ｓｍやデータ電極Ｄ１〜Ｄｎに供給する駆動信号（駆動波形）は、電圧源の代わりに電流源であってもよく、走査電極Ｓ１〜Ｓｍとデータ電極Ｄ１〜Ｄｎとの駆動波形の極性が逆であってもよい。本発明は、フィールドエミッション表示装置やＥＬ表示装置に限定されず、発光素子を画像データに応じたパルス幅を有するパルスで駆動するマトリクス型表示装置であれば、全てに適用することができる。
【００４４】
【発明の効果】
以上詳細に説明したように、本発明のマトリクス型表示装置は、発光素子それぞれで表示する画像データに応じた駆動波形によって、前記発光素子それぞれを駆動する駆動回路と、画像データが所定の基準値より小さいときには、発光素子それぞれの発光特性が略逆ガンマ特性となるよう、駆動波形に勾配を形成する勾配形成手段と、画像データが所定の基準値以上のときには、発光素子に略一定の電圧もしくは電流を供給する供給手段とを備えて構成したので、映像信号に対して逆ガンマ補正を施すことができ、かつ、発光強度を大きくすることができる。これにより、マトリクス型表示装置において、原画像に対してほぼリニアな発光特性で高輝度な画像を表示することが可能となる。
【図面の簡単な説明】
【図１】本発明の第１実施例を示すブロック図である。
【図２】本発明の第１実施例の動作を説明するための波形図である。
【図３】本発明の第１実施例の動作を説明するための波形図である。
【図４】本発明の第１実施例を説明するための特性図である。
【図５】本発明の第２実施例を示すブロック図である。
【図６】本発明の第２実施例の動作を説明するための波形図である。
【図７】本発明の第２実施例を説明するための特性図である。
【図８】従来例を示すブロック図である。
【図９】マトリクス型表示装置の表示パネルの構成を示す図である。
【図１０】従来例の動作を説明するための波形図である。
【図１１】冷陰極電子放出素子への印加電圧と放出電流との関係を示す特性図である。
【符号の説明】
１，５  端子
２  シフトレジスタ
３  ラッチ回路
４，４１  パルス幅変調回路
６  タイミング制御回路
７  シフトレジスタ
８  波形発生回路
１０  表示パネル
１０ｓ  セル（発光素子）
４０  比較回路
Ｓｄ１〜Ｓｄｎ，Ｓｘｄ１〜Ｓｘｄｎ，Ｓｓ１〜Ｓｓｍ  スイッチ
【図１】
0003931470.tif 000004
【図２】
0003931470.tif 000005
【図３】
0003931470.tif 000006
【図４】
0003931470.tif 000007
【図５】
0003931470.tif 000008
【図６】
0003931470.tif 000009
【図７】
0003931470.tif 000010
【図８】
0003931470.tif 000011
【図９】
0003931470.tif 000012
【図１０】
0003931470.tif 000013
【図１１】
0003931470.tif 000014